(57)【要約】【課題】従来のコンクリート製品に比し軽量で作業性がよく、製作が簡易であるとともに、通水機能や耐久性に優れ、またその点検清掃も簡単容易に効率よくしかも完全に行うことができる新規な縁石排水溝の構造を提供する。【解決手段】底板部１２の上に、背板部１３及び上板部１４及び前板部１６からなる縁石形状を有する筒状本体１１と前記前板部１６の前側下部に沿って前溝部２０とが一体に形成されてなり、前記前板部１６の前溝部上部には格子部１５が形成されているとともに、前記前溝部２０には格子蓋部材３０が取り付けられていることを特徴とする。【選択図】図１
2005314893.tif 000002
【特許請求の範囲】
【請求項１】
底板部の上に、背板部及び上板部及び前板部からなる縁石形状を有する筒状本体（１１）と前記前板部の前側下部に沿って前溝部（２０）とが一体に形成されてなり、前記前板部の前溝部上部には格子部（１５）が形成されているとともに、前記前溝部には格子蓋部材（３０）が取り付けられていることを特徴とする縁石排水溝。
【請求項２】
前記格子蓋部材が前溝部に着脱自在に取り付けられている請求項１に記載の縁石排水溝。
【請求項３】
前記筒状本体の上板部及び前板部が、該筒状本体の底板部及び背板部に対して分離可能に取り付けられている請求項１又は２に記載の縁石排水溝。
【請求項４】
前記筒状本体の底板部及び背板部に取付固定部が形成されている請求項１ないし３のいずれか１項に記載の縁石排水溝。
【発明の詳細な説明】
【技術分野】
【０００１】
本発明は、道路や駐車場、特に橋梁等に設置される縁石排水溝の構造に関する。
【背景技術】
【０００２】
従来、道路や駐車場、特に橋梁等に設置される路面用排水溝の構造としては、例えば、アスファルト等で形成した路面の端部の縁石ブロックの内側に沿ってコンクリート製の排水溝本体を敷設し、路面表面から雨水等を集水すると同時に、路面内に浸透した水を導入するように構成される。従来のこの種路面用排水溝の構造では、特に橋梁等に設置する場合、排水溝本体や縁石ブロック等をコンクリートで形成し、それぞれ個別に設置することが主流となっている。そのため、製作や運搬、現場での施工作業が煩雑となるばかりでなく、重量が嵩み、修理や交換などに際しても大がかりな土木工事を必要とし、工期やコスト等の面において問題があった。
【０００３】
ところで、この種路面用排水溝の構造において、自動車が路面から逸脱することを防止する縁石と、路面の排水を行う排水溝とを一体に形成した縁石排水溝が知られている（例えば、特許文献１参照。）。この縁石排水溝は、略Ｌ字型に形成された筒状本体からなり、該筒状本体の水平面に透水孔を設けて、前記水平面が路面高さとなるよう埋設される。このような縁石排水溝では、略Ｌ字型の筒状本体の上部が縁石として利用されるとともに、前記水平面に設けられた透水孔から路面の雨水等を集水するように構成される。
【０００４】
近年では、上記のような縁石排水溝に関し、より簡単に製作することができるとともに、通水機能や耐久性にも優れ、点検清掃の作業効率がより向上した縁石排水溝の構造が求められている。
【特許文献１】特許第３３６１５０５号公報
【発明の開示】
【発明が解決しようとする課題】
【０００５】
本発明は前記の点に鑑みなされたものであり、従来のコンクリート製品に比し軽量で作業性がよく、製作が簡易であるとともに、通水機能や耐久性に優れ、またその点検清掃も簡単容易に効率よくしかも完全に行うことができる新規な縁石排水溝の構造を提供するものである。
【課題を解決するための手段】
【０００６】
すなわち、請求項１の発明は、底板部の上に、背板部及び上板部及び前板部からなる縁石形状を有する筒状本体（１１）と前記前板部の前側下部に沿って前溝部（２０）とが一体に形成されてなり、前記前板部の前溝部上部には格子部（１５）が形成されているとともに、前記前溝部には格子蓋部材（３０）が取り付けられていることを特徴とする縁石排水溝に係る。
【０００７】
請求項２の発明は、前記格子蓋部材が前溝部に着脱自在に取り付けられている請求項１に記載の縁石排水溝に係る。
【０００８】
請求項３の発明は、前記筒状本体の上板部及び前板部が、該筒状本体の底板部及び背板部に対して分離可能に取り付けられている請求項１又は２に記載の縁石排水溝に係る。
【０００９】
請求項４の発明は、前記筒状本体の底板部及び背板部に取付固定部が形成されている請求項１ないし３のいずれか１項に記載の縁石排水溝に係る。
【発明の効果】
【００１０】
請求項１の発明によれば、底板部の上に、背板部及び上板部及び前板部からなる縁石形状を有する筒状本体と前記前板部の前側下部に沿って前溝部とが一体に形成されてなり、前記前板部の前溝部上部には格子部が形成されているとともに、前記前溝部には格子蓋部材が取り付けられているため、路面表面及び内部の水を効果的かつ効率よく筒状本体内や前溝部に集水することができ、通水機能に優れる。また、この構造にあっては、金属板を加工した金属製であるために、縁石形状を有する筒状本体の形成を含め加工が容易であるばかりでなく、耐久性に優れ、従来のコンクリート製品に比して軽量で、現場での作業性も大幅に簡略化でき、工期も短縮することができる。
【００１１】
請求項２の発明によれば、請求項１において、前記格子蓋部材が前溝部に着脱自在に取り付けられているため、前記前溝部の清掃時には該格子蓋部材を取り外してブラシ等の清掃具を使用してゴミや土砂の除去を行うことができ、その点検清掃が簡単容易に効率よくしかも完全に行うことができる。さらに、万一、当該縁石排水溝の格子蓋部材が変形、破損した場合にも、簡単に交換することができる。
【００１２】
請求項３の発明によれば、請求項２において、前記筒状本体の上板部及び前板部が、該筒状本体の底板部及び背板部に対して分離可能に取り付けられていることによって、前記各部を分割して軽量に扱うことができるため、筒状本体の製作がより簡易になるとともに少人数でも施工を容易に行うことができ、極めて作業性がよい。
【００１３】
請求項４の発明によれば、請求項１ないし３のいずれか１項において、前記筒状本体の底板部及び背板部に取付固定部が形成されているため、当該縁石排水溝を適宜の設置場所に容易かつ確実に設置することができる。
【発明を実施するための最良の形態】
【００１４】
以下添付の図面に従ってこの発明を詳細に説明する。
図１はこの発明の一実施例に係る縁石排水溝の構造を示す斜視図、図２は同縁石排水溝の構造を示す断面図、図３は格子蓋部材の一実施例を示す斜視図、図４はバネクリップの斜視図である。
【００１５】
図１及び図２に示したように、この発明の縁石排水溝１０は、底板部１２の上に、背板部１３及び上板部１４及び前板部１６からなる縁石形状を有する筒状本体１１と前記前板部１６の前側下部１６Ａに沿って前溝部２０とが一体に形成されてなる。該縁石排水溝１０では、前板部１６の前溝部２０上部に格子部１５が形成されているとともに、前記前溝部２０に格子蓋部材３０が取り付けられている。図２において、符号Ｒは透水性舗装部で、Ｒ１は透水層、Ｒ２は基層、Ｍは土層、Ｂは縁石ブロックを表す。
【００１６】
筒状本体１１は、鋼板等の金属板からなる底板部１２，背板部１３，上板部１４，前板部１６によって縁石形状の枠体として形成してなるもので、自動車が路面から逸脱することを防止する縁石の役割を果たすとともに、後記の格子部１５等から集水した雨水等を適宜の配水管等へ排水する。符号１７は上板部１４の固定部材、１８は格子部１５の固定部材、１９は底板部１２の溝壁部１２Ａに設けられた透水孔である。
【００１７】
格子部１５は、筒状本体１１の前板部１６に形成され、該筒状本体１１内に落ち葉やゴミ等が進入しないようにするものである。また、図示のように、実施例の格子部１５では、筒状本体１１の筒方向に並設された主部材４１と該主部材４１に直交する補強部材４２とからなる格子状に構成しているが、他の構造を採用してもよい。なお、実施例の主部材４１は断面Ｉ字状のもので、補強部材４２はねじり鋼とよばれるものが使用されている。
【００１８】
前溝部２０は、底板部１２の上に形成されたもので、前板部１６の前側下部１６Ａと前記底板部１２の溝壁部１２Ａとによって囲まれてなるものである。また、該前溝部２０は、上部が路面（透水性舗装部Ｒ）表面に現出するように構成され、後述の格子蓋部材３０や透水孔１９からから集水した雨水等を適宜の配水管等へ排水する。
【００１９】
格子蓋部材３０は、当該縁石排水溝１０の前溝部２０内に落ち葉やゴミ等が進入しないように、前記前溝部２０に取り付けられたものである。この実施例において、該格子蓋部材３０は、図１ないし図３に示すように、側板部３３が前溝部２０の載置部２１に当接し、前溝部２０の溝方向に並設された主部材３１と該主部材３１に直交する補強部材３２とからなる格子状に構成される。また、前記格子部１５と同様に、主部材３１は断面Ｉ字状のもので、補強部材３２はねじり鋼とよばれるものが使用されている。さらに、前記側板部３１には底板部１２の溝壁部１２Ａに形成された透水孔１９に対応する位置に透水部３４が形成されているのが好ましい。なお、該格子蓋部材３０では、この例に限らず他の構造を採用してもよい。
【００２０】
また、格子蓋部材３０は、請求項２の発明として規定したように、前溝部２０に着脱自在に取り付けられることが好ましい。実施例では、格子蓋部材３０がバネクリップ３５を介して溝壁部１２Ａに嵌着されている。バネクリップ３５は、図３及び図４からよく理解されるように、該格子蓋部材３０の側板部３３への嵌着部３６と溝壁部１２Ａの内側に圧接するバネ片３７を有する。このバネクリップ３５は、格子蓋部材３０と透水孔１９が形成された底板部１２の溝壁部１２Ａとの間に通水のための一定の間隙を形成しつつ、かつ両者を弾性的に圧嵌してがたつきなく保持することができる。
【００２１】
この縁石排水溝１０においては、請求項３の発明として規定したように、筒状本体１１の上板部１４及び前板部１６を該筒状本体１１の底板部１２及び背板部１３に対して分離可能に取り付けるように構成することが好ましい。実施例では、筒状本体１１の底板部１２及び背板部１３が一体に形成され、かつ、上板部１４及び前板部１６が一体に成形され、固定部材１７によって前記前記底板部１２及び背板部１３と上板部１４及び前板部１６とが分離可能に取り付けられている。これにより、前記各部を分割して軽量に扱うことができるため、少人数でも施工を容易に行うことが可能となる。
【００２２】
さらに、この縁石排水溝１０では、請求項４の発明として規定したように、筒状本体１１の底板部１２及び背板部１３に取付固定部５１，５２，５３を形成することが好ましい。実施例では、図１及び図２に示すように、底板部１２の溝壁部１２Ａに取付固定部５１が形成され、背板部１３にはその上側と下側とにそれぞれ取付固定部５２，５３が形成されている。また、各取付固定部５１，５２，５３は、図示のように、それぞれ複数箇所（実施例では３箇所）に形成することが好ましく勧められる。このように、縁石排水溝１０に取付固定部５１，５２，５３を形成することにより、当該縁石排水溝１０を適宜の設置場所に容易かつ確実に設置することができる。
【図面の簡単な説明】
【００２３】
【図１】この発明の一実施例に係る縁石排水溝の構造を示す斜視図である。
【図２】同縁石排水溝の構造を示す断面図である。
【図３】格子蓋部材の一実施例を示す斜視図である。
【図４】バネクリップの斜視図である。
【符号の説明】
【００２４】
１０  縁石排水溝
１１  筒状本体
１２  底板部
１３  背板部
１４  上板部
１５  格子部
１６  前板部
２０  前溝部
３０  格子蓋部材
４０  バネクリップ
５１，５２，５３  取付固定部
【図１】
2005314893.tif 000003
【図２】
2005314893.tif 000004
【図３】
2005314893.tif 000005
【図４】
2005314893.tif 000006